(57)【要約】【課題】浴室などの排水管路に生じる気圧変動による排水トラップの封水レベルの変動を簡易な構造により抑制するようにしたレベル変動防止構造を提供する。【解決手段】排水トラップ１０を設けた浴室の排水管路４内に、排水管路４に作用する気圧変動に応じて空気を出し入れさせる空気溜８ａ、８ｂを有した空気圧調整手段８を設けて、排水トラップ１０に貯留した封水Ａのレベル変動を抑制するようにした【選択図】図１
2006328741.tif 000002
【特許請求の範囲】
【請求項１】
排水トラップを設けた浴室の排水管路内に、排水管路に作用する気圧変動に応じて空気を出し入れさせる空気溜を有した空気圧調整手段を設けて、排水トラップに貯留した封水のレベル変動を抑制するようにしたことを特徴とする排水トラップのレベル変動防止構造。
【請求項２】
請求項１において、
上記空気溜は、空気出入口を有し、常時は膨らんだ状態であるが、排水管路内が正圧になったときは該空気出入口より排気されて収縮する第１の空気溜と、常時は収縮状態であるが、排水管路内が負圧になったときには上記空気出入口より吸気されて膨大化する第２の空気溜とを連通させた構造としたことを特徴とする排水トラップのレベル変動防止構造。
【請求項３】
請求項１、２のいずれかにおいて、
上記空気溜は、ゴム、樹脂などの柔軟な素材で形成された袋体として構成されていることを特徴とする排水トラップのレベル変動防止構造。
【請求項４】
請求項１、２のいずれかにおいて、
上記空気溜は、ベローズを設けたタンクとして構成されていることを特徴とする排水トラップのレベル変動防止構造。
【発明の詳細な説明】
【技術分野】
【０００１】
本発明は、浴室等の排水トラップに貯留した封水のレベル変動を抑制するレベル変動防止構造に関するものである。
【背景技術】
【０００２】
浴室等では、排水管路の臭気が排水口から浴室内に進入することを防止するために、排水口から排水管路につながる箇所に、気体の流通を封止する水溜（封水）を有した排水トラップを設けている。排水トラップは、排水管路内の気体の排水口への流出を遮断する機能を有しており、気体の流通路を形成しないように、封水の水位（レベル）があらかじめ調整され、常時そのレベルを維持できるような構造となっている。
【０００３】
しかしながら、集合住宅、ホテルなど特に高層建物においては、浴室の排水管路は、下流側において他の住戸、部屋の排水管と合流しているため、他の住戸、部屋で排水があり、あるいはその排水が停止すると、その時点で管路内に気圧変動が生じ、その気圧変動により自室の排水トラップ内の封水が振動し、封水が排水管路へと溢れ出て封水レベルが下がり封水切れを起こすことがある。
【０００４】
なお、先行出願である特願２００５−１２５８６３に記載の発明は排水トラップ構造に関するものであるが、封水切れを抑止した構造とはなっておらず、また、同一分野の他の先行発明にも、排水管路内の気圧変動を要因とする封水切れを防止するようなものは存在しない。
【発明の開示】
【発明が解決しようとする課題】
【０００５】
本発明は、上記問題を解決するために提案されたもので、その目的は、気圧変動による排水トラップの封水レベルの変動を抑制するようにしたレベル変動防止構造を提供することにある。
【課題を解決するための手段】
【０００６】
上記目的を達成するために、請求項１に記載の排水トラップのレベル変動防止構造は、排水トラップを設けた浴室の排水管路内に、排水管路に作用する気圧変動に応じて空気を出し入れさせる空気溜を有した空気圧調整手段を設けて、排水トラップに貯留した封水のレベル変動を抑制するようにしたことを特徴とする。
【０００７】
請求項２では、空気溜は、空気出入口を有し、常時は膨らんだ状態であるが、排水管路内が正圧になったときは該空気出入口より排気されて収縮する第１の空気溜と、常時は収縮状態であるが、排水管路内が負圧になったときには上記空気出入口より吸気されて膨大化する第２の空気溜とを連通させた構造としたことを特徴とする。
【０００８】
請求項３では、空気溜がゴム、樹脂などの柔軟な素材で形成された袋体として構成されていることを特徴とする。
【０００９】
請求項４では、空気溜がベローズを設けたタンクとして構成されていることを特徴とする。
【発明の効果】
【００１０】
請求項１〜４に記載の排水トラップのレベル変動防止構造によれば、浴室の排水管路内に、排水管路に作用する気圧変動に応じて空気を出し入れさせる空気溜を有した空気圧調整手段を設けているため、これにより気圧変動を吸収でき、封水が振動してレベルが変動することを抑制することができる。その結果、集合住宅等においても、他の住戸の排水が要因となる封水切れを防止することができる。
【００１１】
また、封水のレベル変動を抑制し、封水切れを防止することができるため、封水レベルの規格値を下げることも可能になり、近年のバリアフリー化に対応して、浴室ユニットの低床化にも寄与できる。
【００１２】
請求項２では、空気溜は、空気出入口を有し、常時は膨らんだ状態であるが、排水管路内が正圧になったときは該空気出入口より排気されて収縮する第１の空気溜と、常時は収縮状態であるが、排水管路内が負圧になったときには上記空気出入口より吸気されて膨大化する第２の空気溜とを連通させた構造となっている。つまり、空気溜が、正圧と負圧の両方に対して圧力調整を可能とした２段階の構成であるため、排水管路および排水トラップ内の気圧が正常時より負圧あるいは正圧の方向に変動することを十分に吸収、緩和することができる。
【００１３】
請求項３では、空気溜がゴム、樹脂などの柔軟な素材で形成された袋体として構成されているため、簡易な手段でレベル変動防止構造を実現することができる。
【００１４】
請求項４では、空気溜がベローズを設けたタンクとして構成されているため、気圧変動に対して一定に膨張、収縮することが実現できる。
【発明を実施するための最良の形態】
【００１５】
以下に、本発明の実施の形態について、図面を参照しながら説明する。
【実施例１】
【００１６】
図５は、本発明構造に使用される集合住宅の各住戸の排水トラップの全体斜視図である。
【００１７】
この排水トラップ１０は、床パン６に開口され、床パン６の上方に載置された浴槽（不図示）の排水口（不図示）と連通し、円筒形状で下端が開口した排水筒１ａを有した浴槽下排水口１と、洗い場側の洗い場パン７に開口して設け、円筒形状で下端が開口した封水筒２ａ（図１参照）を有した排水口２とがトラップ連通管３により相互に連通し、さらに排水管路４に連通した構造となっている。集合住宅においては、この排水管路４が下流側で他の住戸の排水管路と合流している。
【００１８】
ここで、浴槽下排水口１には、逆止弁付フロート５ａと、排水孔５ｂとを設けた調整蓋５が取り付けられ、通常、浴槽からの排水はこの排水孔５ｂを介して排水トラップ内へ排出される。なお、５ａａは逆止弁付フロート５ａのつまみである。
【００１９】
次に、本発明の排水トラップ１０のレベル変動防止構造の一例を説明する。
【００２０】
図１は、本発明の排水トラップ１０の要部縦断面を示す図で、図５で示した排水トラップ構造のＸ−Ｘ線縦断面に、レベル変動を抑制するために設けられた空気圧調整手段８を付加したものを示している。なお、本断面図は、調整蓋５を浴槽下排水口１に取り付けた状態を示している。また、本図は断面を示しているが、ハッチングを省略している。
【００２１】
排水トラップ１０内には、臭気を封止するための封水Ａが常時、貯留された状態となっている。図示したＢは封水ラインで、排水トラップ１０に対する排水管４の取付部に形成した堰部９によって、封水ラインＢが規制される。もちろん、排水トラップ１０内は、浴槽側と洗い場側とが連通しているため、いずれも同一高さの封水レベルＢとなっている。
【００２２】
排水トラップ１０は、浴槽下排水口１または洗い場排水口２から排水されると、排水筒１ａまたは封水筒２ａを介してトラップ１０内に水が落ち込むが、封水レベルＢを超える水は、堰部９を超えて排水トラップ１０に連結された排水管４へ流出する。このように、常時、封水レベルＢが維持されるため、封水Ａが浴槽下排水口１または洗い場排水口２から溢れ出ることはない。
【００２３】
ところが、高層建物などにおいて、他の住戸で排水されると、排水管路４内の気圧が変動し、その気圧変動の影響を受けて排水トラップ１０内の封水レベルＢが揺れ動いて、浴室での排水がないにもかかわらず、封水Ａが堰部９を超えて排水管路４へと流出してしまうことがある。
【００２４】
そのため、本発明では、排水管路４内に、気圧変動を吸収して封水レベルＢの変動を抑制するようにした空気圧調整手段８を設けている。
【００２５】
この空気圧調整手段８は、排水管路４内の封水Ａに対する気圧が、正常時よりも負圧または正圧に作用したときに、その気圧変動を受けて、内外の気圧差を吸収して膨張または収縮するもので、図示するように、空気出入口８ｃを連結させた第１の空気溜８ａと、これに連通した第２の空気溜８ｂとを備えた構造となっている。なお、８ｄは、第１の空気溜８ａと空気出入口８ｃをつなぐための空気流通管である。
【００２６】
図１は気圧変動のない正常時を示しており、図示するように、第１の空気溜８ａは、気圧変動のないときには、第２の空気溜８ｂよりも十分に大きい空所を有した形状に保持されている。また、第１の空気溜８ａはカメラレンズ清掃用のゴム、樹脂製のブロアのごとく、常時は中に空気を含んだ膨張した状態にある一方、第２の空気溜８ｂは空気を吹き込んで膨らませる前のゴム風船のごとく、常時は収縮状態にある。
【００２７】
すなわち、第１の空気溜８ａは、弾性力によって、その材質、形状による膨張状態に付勢されて保持されており、内外の気圧差により袋体中の空気が押し出されようとすると、弾性力に抗した力が作用して空気溜８ａは収縮するが、外気圧が元に戻るとそれに応じて排気は弱まりあるいは停止して、弾性力に抗する力が緩和あるいは解除され、そのため復元弾性力によって元の膨らんだ状態に戻ろうとする。一方、第２の空気溜８ｂは、収縮状態を保持しており、内外の気圧差により中に空気が送り込まれると空気溜８ｂが膨らんでいくが、外気圧が元に戻ると空気が排出され収縮状態に戻ろうとする。
【００２８】
図２は、排水管路４内で気圧変化が起こったときの空気圧調整手段８の状態を模式的に示した図である。
【００２９】
（ａ）は、排水管路４内の気圧が正常状態つまり負圧でもなく正圧でもないニュートラルな状態の空気圧調整手段８の形状を示した図である。
【００３０】
この（ａ）の状態から排水管路４内が負圧に移行すると、内外の気圧差を吸収するために、（ｂ）に示すように、空気出入口８ｃから外気を吸気して第２の空気溜８ｂが膨張する。このとき第１の空気溜８ａは膨張状態にあるため、それ以上膨張せず、同じ状態を保持している。その（ｂ）の状態から排水管路４内の気圧が正常状態に戻ろうとすると、第１の空気溜８ａは、弾性力に抗した外力が作用しないと収縮しないため膨張状態が保持され、（ｃ）に示すように、膨張した第２の空気溜８ｂのみが収縮する。
【００３１】
また、（ａ）の状態から排水管路４内が正圧に移行すると、第２の空気溜８ｂは収縮状態にあるため、（ｄ）に示すように、第１の空気溜８ａが収縮しようとする。次に、この（ｄ）の状態から排水管路４内の気圧が正常状態に戻ろうとすると、排気が止まり、第１の空気溜８ａは復元弾性力によって、元の膨張状態に戻ろうとする。
【００３２】
以上のように、２つの空気溜８ａ、８ｂは、排水トラップ１０に連通した排水管路４が負圧に変化しても、正圧に変化しても、そのような気圧変動をそれぞれに吸収、緩和するため、気圧変動による封水の振動を防止することができ、封水レベルＢが変動することを抑制することができる。その結果、集合住宅等においても、他の住戸の排水を要因とした封水切れ（封水Ａの流出）が発生することはない。
【００３３】
図２の状態遷移からもわかるように、第１、第２の空気溜８ａ、８ｂは、気圧変動により同時に変化するものではないため、２つの空気出入口を配置するスペースさえ確保できれば、第１、第２の空気溜８ａ、８ｂのそれぞれに空気出入口を設けた別体構造としてもよい。
【００３４】
また、空気溜を配置する場所は図２に示した位置に限定されず、排水トラップ１０内の空気変動の影響を受ける箇所であれば、いずれの箇所であってもよい。
【実施例２】
【００３５】
本実施例の排水トラップ構造は、空気圧調整手段としてベローズ（蛇腹）を設けたタンクを使用したものである。
【００３６】
図３は、排水管路４内で空気圧変化が起こったときの空気圧調整手段８Ａの状態を示した図である。この空気圧調整手段８Ａは、２つのベローズタンク８Ａａ、８Ａｂからなり、空気出入口８Ａｃを備えている。なお、実施例１とは空気圧調整手段８Ａのみが異なるため、排水トラップの全体構造については図示および説明を省略する。
【００３７】
第１の空気溜８Ａａは常時、膨張状態にあり、気圧変動による空気の流出によって、（ａ）の状態からは収縮する方向にのみ動作する。一方、第２の空気溜８Ａｂは常時、収縮状態にあり、気圧変動による空気の流入によって、（ａ）の状態からは膨張する方向にのみ動作する。すなわち、第１の空気溜８Ａａは圧縮バネ、第２の空気溜８Ａｂは引っ張りバネと同様の機能を有している。
【００３８】
（ａ）の状態から排水管路４内が負圧に移行すると、内外の気圧差を吸収するために、（ｂ）に示すように、空気出入口８ｃから吸気して第２の空気溜８Ａｂが膨張する。つまり、蛇腹が伸びる。（ｂ）の状態から排水管路４内の気圧が正常状態に戻ろうとすると、第１の空気溜８Ａａは膨張状態にあるため、その状態を保持したまま、（ｃ）に示すように、膨張した第２の空気溜８Ａｂのみが収縮する。
【００３９】
また、（ａ）の状態から排水管路４内が正圧に移行すると、第２の空気溜８Ａｂは収縮状態にあるため、（ｄ）に示すように、第１の空気溜８Ａａが収縮しようとする。次に、この（ｄ）の状態から排水管路４内の気圧が正常状態に戻ろうとすると、排気が止まり、第１の空気溜８Ａａは復元弾性力によって、元の膨張状態に戻ろうとする。
【００４０】
このように、本実施例の排水トラップも、実施例１と同様にベローズタンクからなる空気圧調整手段８Ａが気圧変動を吸収、緩和する構造となっているため、実施例１と同様の効果が期待できる。
【００４１】
なお本実施例は、正常時においては、第１の空気溜８Ａａを膨張状態、第２の空気溜８Ａｂを収縮状態としたものを採用しているが、空気溜として、膨張、収縮がともに可能なベローズタンクを設けてもよい。すなわち、２つの空気溜を連通させるのではなく、図４に示すように、正常時状態では、膨張、収縮のいずれもが可能な１つベローズタンクからなる１つの空気溜８Ｂａと、１つの空気出入口８Ｂｃとを有した空気圧調整手段８Ｂを設けた構造であってもよい。
【００４２】
なお、その場合のニュートラル、負圧時、正圧時の各状態は、図４（ａ）（ｂ）（ｃ）に示すとおりである。
【００４３】
また、空気溜を２つ設けた場合は、実施例１と同様に、第１、第２の空気溜８Ａａ、８Ａｂのそれぞれに空気出入口を設けた構造としてもよい。
【図面の簡単な説明】
【００４４】
【図１】本発明の排水トラップのレベル変動防止構造の一例（実施例１）を示す要部縦断面図
【図２】実施例１における、排水トラップ内で空気圧変化が起こったときの空気圧調整手段の状態遷移図
【図３】実施例２における、排水トラップ内で空気圧変化が起こったときの空気圧調整手段の状態遷移図
【図４】さらに他例の、排水トラップ内で空気圧変化が起こったときの空気圧調整手段の状態遷移図
【図５】排水トラップの全体斜視図
【符号の説明】
【００４５】
１０      排水トラップ
１      浴槽下排水口
２      洗い場排水口
３      トラップ連通管
４      排水管路
８      空気圧調整手段（実施例１）
８ａ      第１の空気溜
８ｂ      第２の空気溜
８ｃ      空気出入口
８Ａ      空気圧調整手段（実施例２）
８Ａａ      第１の空気溜
８Ａｂ      第２の空気溜
８Ａｃ      空気出入口
８Ｂ      空気圧調整手段（実施例２の別例）
８Ｂａ      空気溜
８Ｂｃ      空気出入口
【図１】
2006328741.tif 000003
【図２】
2006328741.tif 000004
【図３】
2006328741.tif 000005
【図４】
2006328741.tif 000006
【図５】
2006328741.tif 000007